(57)【要約】【課題】二次元コードの誤り訂正機能を活用可能とするＩＴ物品を提供する。【解決手段】ＩＴ物品１、１Ａは、二次元コードＱがその表面に付された物品であって、その二次元コードＱを付した表面を含んで部分１ａ、１ｂ、１ｃ、１ｄに分割されたものである。【選択図】図１
2006252010.tif 000002
【特許請求の範囲】
【請求項１】
２次元コードがその表面に付された物品であって、その２次元コードを付した表面を含んで分割されたものであることを特徴とするＩＴ物品。
【請求項２】
前記分割された部分が、それに付された２次元コードの部分面積を合計しても、該２次元コードの誤り訂正率を越えないものを少なくとも１つ含んでいることを特徴とする請求項１記載のＩＴ物品。
【請求項３】
前記２次元コードが、それが付されるＩＴ物品の表面形状に対応させて、該２次元コードを一方向から見た場合に正常に読み取り可能となるように構成されたことを特徴とする請求項１または２記載のＩＴ物品。
【請求項４】
前記ＩＴ物品が、陶磁品であって、前記２次元コードが前記陶磁品の表面に焼き付けられたものであることを特徴とする請求項１〜３のいずれか記載のＩＴ物品。
【請求項５】
前記ＩＴ物品がタイルであることを特徴とする請求項４記載のＩＴ物品。
【請求項６】
請求項４または５記載のＩＴ物品の製法であって、
すでに製品となった陶磁品の表面に、該陶磁品の製造時の焼成温度より低い温度で、前記２次元コードが焼き付られることを特徴とするＩＴ物品の製法。
【請求項７】
請求項６の製法で製造されたことを特徴とするＩＴ物品。
【発明の詳細な説明】
【技術分野】
【０００１】
本発明は、バーコードと称される一次元コードに比べはるかに情報量の多い二次元コードがその表面に付されたＩＴ物品に関する。
【背景技術】
【０００２】
ＱＲコード（登録商標（第４０７５０６６号））に代表される二次元コードは、多方面に利用され、物品（二次元コードをその表面に付すことが可能な形態を有するものをいう。）の表面に二次元コードが付されたものは多数存在するが、その二次元コードを付した部分を含んで、分割されたような物品は出願人の知見では存在しない。
【０００３】
例えば、特許文献１には、セラミックナイフの把持部分に二次元コードをレーザーマーキングしたものが開示されているが、このナイフは、この二次元コードの部分で分割されるものではない。
【０００４】
一方、二次元コードは、そのコード表面に多少の付着物などがあって、一定面積のコード部分が読み取れない場合であっても、全体としてコード読み取りが可能であるという誤り訂正機能を備えているが、このことは、二次元コードの部分で、その物品を分割して、読み取り時に組み合わせて読み込む場合に、分割部分での多少のずれ、隙間等があっても、全体としてコード読み取りが可能であるということを示している。
【０００５】
また、分割した部分の全部が揃わなくとも、欠けた部分の面積％が、二次元コードの誤り訂正率（全体としてコード読み取り可能となる、読み取れない部分のコード全体に対する面積の百分率）を超えない場合には、全体としてのコード読み取りが可能であるということも考えられる。
【０００６】
つまり、二次元コードを付した物品（このような物品を、二次元コードによる情報提供機能を持った物品として、「ＩＴ物品」という。）を分割されたものとすることで、この二次元コードの誤り訂正機能を活用したさまざまな用い方が可能であるが、そのような提案はこれまでなされていなかった。
【特許文献１】特開２００４−６６２９９号公報（図８）
【発明の開示】
【発明が解決しようとする課題】
【０００７】
本発明は、このような状況に鑑みて提案されるもので、二次元コードの誤り訂正機能を活用可能とするＩＴ物品、その製法を提供することを目的としている。
【課題を解決するための手段】
【０００８】
請求項１記載のＩＴ物品は、２次元コードがその表面に付された物品であって、その２次元コードを付した表面を含んで分割されたものであることを特徴とする。
【０００９】
なお、ＩＴ物品には、以下に説明するＩＴ陶磁器、ＩＴタイルに加え、ガラス製のもの、プラスチック製のもの、紙製のもの、木製のもの、金属性のもの、その他複合材料製のものも含め、その表面に外部から読み取り可能に２次元コードが付されたものであればどのようなものでも含まれる。
【００１０】
請求項２記載のＩＴ物品は、請求項１に従属し、前記分割された部分が、それに付された２次元コードの部分面積を合計しても、該２次元コードの誤り訂正率を越えないものを少なくとも１つ含んでいることを特徴とする。
【００１１】
請求項３記載のＩＴ物品は、請求項１または２に従属し、前記２次元コードが、それが付されるＩＴ物品の表面形状に対応させて、該２次元コードを一方向から見た場合に正常に読み取り可能となるように構成されたことを特徴とする。
【００１２】
請求項４記載のＩＴ物品は、請求項１〜３のいずれかに従属し、前記ＩＴ物品が、陶磁品であって、前記２次元コードが前記陶磁品の表面に焼き付けられたものであることを特徴とする。
【００１３】
請求項５記載のＩＴ物品は、請求項４に従属し、前記ＩＴ物品がタイルであることを特徴とする。
【００１４】
請求項６記載のＩＴ物品の製法は、請求項４または５記載のＩＴ物品の製法であって、
すでに製品となった陶磁品の表面に、該陶磁品の製造時の焼成温度より低い温度で、前記２次元コードが焼き付られることを特徴とする。
【００１５】
請求項７記載のＩＴ物品は、請求項６の製法で製造されたことを特徴とする。
【発明の効果】
【００１６】
請求項１記載のＩＴ物品は、２次元コードがその表面に付された物品であって、その２次元コードを付した表面を含んで分割されたものであるので、２次元コードの二次元コードの誤り訂正機能により、分割後の組み合わせによって生じる多少の誤差があっても読み取ることができ、かかる機能を用いてさまざまな用途に用いることができる。
【００１７】
請求項２記載のＩＴ物品は、請求項１の効果に加え、前記分割された部分が、それに付された２次元コードの部分面積を合計しても、該２次元コードの誤り訂正率を越えないものを少なくとも１つ含んでいるので、係る部分が欠落しても全体として、２次元コードの読み取りが可能となり、かかる機能を用いてさまざまな用途に用いることができる
請求項３記載のＩＴ物品は、請求項１または２の効果に加え、前記２次元コードが、それが付されるＩＴ物品の表面形状に対応させて、該２次元コードを一方向から見た場合に正常に読み取り可能となるように構成されているので、２次元コードを付する表面が平面でなくとも、コードが読み取り可能となる。
【００１８】
請求項４記載のＩＴ物品は、請求項１〜３のいずれかの効果に加え、前記ＩＴ物品が、陶磁品であって、前記２次元コードが前記陶磁品の表面に焼き付けられたものであるので、陶磁器としての耐久性等の効果を発揮する。
【００１９】
請求項５記載のＩＴ物品は、請求項４の効果に加え、前記ＩＴ物品がタイルであるので、タイルとしての効果を発揮する。
【００２０】
請求項６記載のＩＴ物品の製法は、請求項４または５記載のＩＴ物品の効果に加え、すでに製品となった陶磁品の表面に、該陶磁品の製造時の焼成温度より低い温度で、前記２次元コードが焼き付られるので、個々人の所有するＩＴ物品にも、２次元コードを後付け付加でき、その情報発信機能を利用することができる。
【００２１】
請求項７記載のＩＴ物品は、請求項６の製法で製造されたので、この製法の効果を、ＩＴ物品として発揮する。
【発明を実施するための最良の形態】
【００２２】
以下に、本発明の実施の形態（実施例）について、図面を用いて説明する。
【実施例１】
【００２３】
図１は、本発明のＩＴ物品を例示するもので、（ａ）はその一例の分離状態の図、（ｂ）は（ａ）を組み合わせた状態の図、（ｃ）は他例の分離状態の図、（ｄ）は（ｃ）を組み合わせた状態の図、図２（ａ）は本発明のＩＴ物品の他例の分離状態の図、（ｂ）は（ａ）を組み合わせた状態の図である。
【００２４】
これらの図１、２に示すＩＴ物品１、１Ａ、１Ｂは、平面的な物品の一表面に二次元コードＱを付し、その二次元コードＱを付した表面を含んで二分割されたものである点で共通し、この点を特徴としている。
【００２５】
図１（ａ）、（ｂ）のＩＴ物品１は、荷札様の形状であり、二次元コードＱを含んで部分１ａ、１ｂに分割されている。
【００２６】
このＩＴ物品１は、そのその提げ紐孔１ａｃに提げ紐（不図示）を通して部分１ａを照合が必要な物に付けておき、他方の部分１ｂを持っている人が、両者を組み合わせて、二次元コードＱが読み取り可能な場合にのみ、その部分１ａを付した物を受けとることができる、といった用い方をすることができる。
【００２７】
この際、二次元コードＱの誤り訂正機能により、この組み合わせによって生じる多少の誤差があっても読み取ることができる。また、機械で読み取りができるという事実だけによって、両者の符合を判定することができ、それぞれのコード内容の確認までもする必要がなく、迅速な処理をすることができる。
【００２８】
また、部分１ａ、１ｂが揃わないと読み取ることができないので、正規の部分１ｂの所有者以外が、その分割された二次元コードＱを読み取ることによって、その物に関する情報を得ることもできず、その点では、秘密性が高いということができる。
【００２９】
このようなＩＴ物品１は、上記特性に合わせて種々の用い方が可能であり、例えば、旅行者の別送荷物の照合などに用いることができる。
【００３０】
図１（ｃ）、（ｄ）のＩＴ物品１Ａは、正方形の平板状のものであって、その平板表面の大部分に二次元コードＱが付され、この二次元コードＱを含んだ台形状の部分１ｄと、この部分１ｄを取り囲む部分１ｃとに分割されている。
【００３１】
このＩＴ物品１Ａは、独立して用いられ、双方の部分１ｃ、１ｄを図１（ｄ）に示すように組み合わせると、二次元コードＱが読み取り可能となる。この際、部分１ｄは、部分１ｃの中に填まり込むので、両者の組み合わせが容易で、また、組み合わせた場合の両者のずれが生じにくく、二次元コードＱの読み取り精度が向上する。
【００３２】
このようなＩＴ物品１Ａは、例えば、部分１ｃ、１ｄを別々の人あるいはグループなどが所有し、両者の照合をするのに用いることができる。
【００３３】
図２（ａ）、（ｂ）のＩＴ物品１Ｂは、図１（ｃ）、（ｄ）のＩＴ物品１Ａと同様に、正方形の平板状であるが、このＩＴ物品１Ａと異なり、分割の態様がよりファッション性を考慮したものとなっている。つまり、この例では、二次元コードＱを含んだハート型の部分１ｆと、その周囲の部分１ｅとで構成されている。
【００３４】
このＩＴ物品１Ｂにおいても、部分１ｆは、部分１ｅの中に填まり込むので、両者の組み合わせが容易で、また、組み合わせた場合の両者のずれが生じにくく、二次元コードＱの読み取り精度が向上する。
【００３５】
このようなＩＴ物品１Ｂは、ＩＴ物品１Ａと同様、それぞれの部分の所有者の照合などに用いることができるが、そのファッション性から、例えば、恋人同士のきずなを確かめるグッズとして利用される可能性がある。
【実施例２】
【００３６】
図３（ａ）は本発明のＩＴ物品の他例の分離状態の図、（ｂ）は（ａ）を組み合わせた状態の図である。これより既に説明した部分には同じ符号を付して重複説明を省略する。
【００３７】
このＩＴ物品１Ｃは、これまでのＩＴ物品１、１Ａ、１Ｂに比べ、立体的な物品に二次元コードＱが付されている点で異なっている。
【００３８】
より具体的には、このＩＴ物品１Ｃは、それぞれの部分１ｇ、１ｈが、升形状をしており、両者１ｇ、１ｈの隙間無く組み合わせることのできる部位に二次元コードＱが分割して付され、双方を組み合わせると、この二次元コードＱが読み取れるようになっている。
【００３９】
このようなＩＴ物品１Ｃも、２次元コードＱがその表面に付された物品であって、その２次元コードＱを付した表面を含んで分割されたものに含まれるものである。
【００４０】
このＩＴ物品１Ｃの用い方も、上述の特性を生かして、様々なものが考えられるが、例えば、夫婦の契りの記念品として、利用される可能性がある。
【実施例３】
【００４１】
図４（ａ）、（ｂ）、（ｃ）、（ｄ）、（ｅ）、（ｆ）は本発明のＩＴ物品の他例の使用態様を示す図である。
【００４２】
このＩＴ物品１Ｄは、図１（ｃ）、（ｄ）のＩＴ物品１Ａなどと同様に、正方形の平板状であるが、その二次元コードＱを付した表面を含んだ分割が、三分割以上の多分割となっている点が異なっている。
【００４３】
このＩＴ物品１Ｄでは、図４（ｂ）に示すように、７つの部分１ｉ、１ｊ、１ｋ、１ｍ、１ｎ、１ｏ、１ｐに分割されている。なお、図４（ａ）は、この分割がなかった場合のＩＴ物品１Ｄを仮想的に示すものである。
【００４４】
このＩＴ物品１Ｄは、各部分を組み合わせると図４（ｃ）となり、これは図４（ａ）とほぼ同じであり、また、上述した二次元コードＱの誤り訂正機能から、多少の隙間、ずれがあっても、全体として、コードの読み取りが可能となる。
【００４５】
図４（ｄ）は、ＩＴ物品１Ｄを組み合わせたが、部分１ｎだけが欠けている状態を示している。しかしながら、この欠けた部分１ｎの面積が、二次元コードＱの誤り訂正率を超えない場合には、全体として、二次元コードＱの読み取りが可能である。
【００４６】
図４（ｅ）は、ＩＴ物品１Ｄを組み合わせたが、部分１ｎ、１ｏが欠けている状態を示している。しかしながら、この欠けた部分１ｎ、１ｏの合計面積が、二次元コードＱの誤り訂正率を超えない場合には、全体として、二次元コードＱの読み取りが可能である。
【００４７】
図４（ｆ）は、ＩＴ物品１Ｄを組み合わせたが、部分１ｎ、１ｏに加え、されに、部分１ｐが欠けている状態を示している。この場合は、欠けた部分１ｎ、１ｏ、１ｐの合計面積が、二次元コードＱの誤り訂正率を越えることとなり、全体として、二次元コードＱの読み取りが不可能となる。
【００４８】
このように、二次元コードＱを付して分割したＩＴ物品は、その誤り訂正率を利用して、上述しなような用い方ができる。例えば、このＩＴ物品１Ｄを、多数の人、グループ間の割符として用いた場合、全員が揃わなくとも、二次元コードＱに隠されたコードの読み出しが可能となり、それを利用した用い方が期待される。
【実施例４】
【００４９】
図５は、本発明のＩＴ物品を例示するもので、（ａ）はその他例の分離状態の図、（ｂ）は（ａ）を組み合わせた状態の図、（ｃ）は他例の分離状態の図、（ｄ）は（ｃ）を組み合わせた状態の図、（ｅ）は（ｄ）のＡ矢視図である。
【００５０】
図５（ａ）、（ｂ）のＩＴ物品１Ｅは、湯呑み様の部分１ｑ、１ｒの円周外表面に二次元コードＱ１を分割して付したもので、図５（ｂ）に示すように、両者をこの二次元コードＱ１が一体化されるように組み合わせて、一定の方向から見ると、平面上に付された二次元コードＱのように見えるように、それぞれの部分１ｑ、１ｒに分割されて付された二次元コードＱ１が構成されているものである。
【００５１】
つまり、この２次元コードＱ１は、それが付されるＩＴ物品１Ｅ（１ｑ、１ｒ）の表面形状に対応させて、該２次元コードＱ１を一方向から見た場合に正常に読み取り可能な二次元コードＱとなるように構成されている。
【００５２】
このようにすると、平面上に二次元コードを付すことができない場合であっても、二次元コードを利用することができる。
【００５３】
図５（ｃ）、（ｄ）のＩＴ物品１Ｆは、平板状の部分１ｓと、その中央部分の凹所に嵌まり込むドーム状の部分１ｔより構成され、それぞれの部分に二次元コードＱ２が分割して付され、両者を組み合わせた状態で、所定の方向Ａから見ると、全体として、正常に読み取り可能な二次元コードＱとなるように構成されている。
【００５４】
このＩＴ物品１Ｆも、それに付された二次元コードＱ２が、付される部分１ｓ、１ｔの表面形状に対応させて、該２次元コードＱ２を一方向から見た場合に正常に読み取り可能な二次元コードＱとなるように構成されている例であり、図５（ａ）、（ｂ）のＩＴ物品１Ｅと同様の効果を発揮すると共に、部分１ｓ、１ｔが嵌まり合うため、組み合わされた二次元コードＱ２のずれが少なく、読み取り精度が向上する。
【実施例５】
【００５５】
図６（ａ）、（ｂ）、（ｃ）、（ｄ）は、陶磁器として構成された本発明のＩＴ物品を例示する図、図７（ａ）、（ｂ）は、陶磁器として構成された本発明のＩＴ物品の製造に用いられる転写紙を例示する図、図８、９、１０は、図６のＩＴ物品の使用態様の説明図である。
【００５６】
図６（ａ）、（ｂ）、（ｃ）、（ｄ）のＩＴ物品２、２Ａ、３、３Ａは、二次元コードＱが陶磁器の表面に焼き付けされたＩＴ陶磁器２、２Ａ、３、３Ａとして構成された点を共通の特徴とする。
【００５７】
これらのＩＴ陶磁器２、２Ａ、３、３Ａは、ここでは、その二次元コードＱが付された表面を含んで分割されていないものであるが、図１から図５までに説明したように、分割することも可能である。
【００５８】
一方、図１から図５までに説明したようなＩＴ物品１、１Ａ、１Ｂ、１Ｃ、１Ｄ、１Ｅ、１Ｆを陶磁器として構成することも可能である。
【００５９】
図６（ａ）のＩＴ陶磁器（物品）２は、マグカップ様の陶磁器の円周側部分の外周表面に二次元コードＱが付されているものである。この二次元コードＱは、ＩＴ陶磁器２の円周側部分の径が、二次元コードＱの大きさに比べ大きい場合は、平面用の二次元コードＱを用いることができるが、そうでない場合には、図５で説明したように、それが付される表面形状に対応させた二次元コードＱ３とするのがよい。
【００６０】
図６（ｂ）のＩＴ陶磁器（物品）２Ａは、図６（ａ）のＩＴ陶磁器２と同様のマグカップ様であるが、二次元コードＱは、その裏底面に焼き付けられている。このようにすると、ＩＴ陶磁器２Ａの目立つ円周外周部分を全面的に装飾に用いることができる。
【００６１】
これらのＩＴ陶磁器２、２Ａは、それに付された二次元コードＱを読み取ることによって、それぞれの陶磁器２、２Ａに関する情報を得ることができるものである。
【００６２】
図６（ｃ）のＩＴ陶磁器（物品）３は、タイル様の表面側に二次元コードＱが焼き付けられているが、その二次元コードＱが該表面に占める面積は、残りの面積より小さなものとなっている。これに比べ、図６（ｄ）のＩＴ陶磁器（物品）３Ａでは、同様にタイル様であるが、二次元コードＱがその表面のほとんどを占めているものである。
【００６３】
このタイル形状のＩＴ陶磁器３、３Ａをその形状から、ＩＴタイル（物品）３、３Ａとも呼ぶ。
【００６４】
ＩＴタイル３は、建物の外装や内装などに用いられる一般のタイルと同じ大きさで、多数用いられるタイルの内、必要な部分だけをこのＩＴタイル３とし、このＩＴタイル３に付された二次元コードＱを読み取ることで、そのＩＴタイル３が付された建物などに関する情報を得ることができるものである。
【００６５】
ＩＴタイル３Ａも、ＩＴタイル３と同様な使用をすることもできるが、この場合は、主として、それに付された二次元コードＱから情報を得ることを主目的として用いられるものであり、その耐候性、永年不変化性を活用して、土地の区画や位置表示指標、山中などの道案内指標、草木の個別標識などとして有効利用できる。
【００６６】
これらのＩＴ陶磁器２、２Ａ、３、３Ａは、その共通した効果として、二次元コードＱそのもの情報発信の効果に加え、その陶磁器としての効果、つまり、焼き付けられた二次元コードＱの耐水性、耐薬品性、耐紫外線、耐摩耗性、耐久性、耐高温性が優れ、二次元コードＱを焼き付けた部分が、折れ曲がらない、汚れてもすぐきれいにすることができる、紙のように簡単に破れることがない、偽造することができないといった効果を発揮する。
【００６７】
また、分割態様とした場合には、図１から５までに説明したような効果を発揮することができる。一方、図１から５までのＩＴ物品１、１Ａ、１Ｂ、１Ｃ、１Ｄ、１Ｅ、１Ｆを陶磁器として構成した場合には、これらの分割に起因する効果に加えて、これらを陶磁器とした上述の効果を発揮する。
【００６８】
これより、図６を用いて、ＩＴ陶磁器２、２Ａ、３、３Ａに共通する製法の概要を、ＩＴタイル３Ａを例として説明する。
【００６９】
＜ＩＴタイル３Ａの製法＞
１．ＩＴタイル３Ａによって発信されるべき図形、メッセージ、文字、写真などの情報を二次元コードに変換する。
【００７０】
二次元コードの種類としては、ＱＲコード（ＩＳＯ／ＩＥＣ１８００４（登録商標（第４０７５０６６号）））、マイクロＱＲコード、ＰＤＦ４１７方式のコード、ＤａｔａＭａｔｒｉｘ方式のコード、ＭａｘｉＣｏｄｅなどがある。
【００７１】
ＱＲコード、ＤａｔａＭａｔｒｉｘ方式のコード、ＭａｘｉＣｏｄｅは、それぞれマトリックスコードの一種である。ＰＤＦ４１７は、スタックドバーコードの一種である。
【００７２】
バーコードが、ごく少ない桁数の数字データのコード化しかできないのに対して、これらの二次元コードは、数字データで言えば数百から数千の桁数のデータをコード化することができる。特に、ＱＲコード、ＰＤＦ４１７方式のコードは、数千の桁数の数字データをコード化することができる。
【００７３】
また、ＱＲコード、マイクロＱＲコード、ＤａｔａＭａｔｒｉｘ方式のコードは、コード化した部分のサイズが小さく、省スペースであるとの特徴がある。
【００７４】
ＱＲコード、マイクロＱＲコード、ＰＤＦ４１７方式のコード、ＤａｔａＭａｔｒｉｘ方式のコードは、四角形のみを組み合わせることで形成することができる図である。これに対して、ＭａｘｉＣｏｄｅは、円を使用している。
【００７５】
２．得られた二次元コードＱを転写紙に写す。この転写紙の例が図６に示すものであり、通常一般的に、陶磁器の表面に所望の模様、図形を焼き付けるのに用いられるものである。
【００７６】
３．ＩＴタイル３Ａとなる素材の表面に、図６の転写紙から一つの二次元コードＱ部分を切り離して、貼り付ける。
【００７７】
４．二次元コードＱを貼り付けた素材を８００℃〜１０００℃程度で焼成するとＩＴタイル３Ａが得られる。
【００７８】
なお、二次元コードＱの焼き付けは、こうした製品化の過程以外に、既に製品となって、消費者の手元にある陶磁器について、事後的に焼き付けすることも可能である。
【００７９】
その場合には、元々の陶磁器にすでに焼き付けられた模様、色彩などに影響を与えないように、より低い温度、具体的には、６００℃程度で焼成するのがよい。
【００８０】
この方法によれば、自分のお気に入りで手元にある陶磁器に、情報発信元である二次元コードＱを焼き付けて、保存しておいたり、特定の人に贈ったりすることができる。
【００８１】
ついで、こうして得られたＩＴ陶磁器２、２Ａ、３、３Ａの情報発信元としての用い方を、図８〜図１０を用いて説明する。
【００８２】
図８は、例えば、ＩＴ陶磁器２Ａの二次元コードＱを、二次元コード読み出し機能付きの携帯電話で読み込んだ状態を示しており、その画面には、ある企業の名称、郵便番号、住所、電話番号が示されている。
【００８３】
このようなデータは、例えば、ＩＴ陶磁器２Ａの製造や販売の責任者や、このＩＴ陶磁器２Ａが販売促進に用いられる場合には、本来の商品の注文先を示すのに用いられる。
【００８４】
図９、１０は、例えば、カタログなどに印刷された二次元コードＱを二次元コード読み出し機能付きの形態電話で読み込んだ場合の手順を示している。
【００８５】
まず、二次元コードＱを読み込むと、所定の注文ページにアクセスし、ホームページが表示され、ここで、ＩＴ陶磁器２を贈る相手に対する贈り主からのメッセージを入力することができる。
【００８６】
ついで、商品であるＩＴ陶磁器２を選択し、更に、贈り主などの個人情報を入力し、送信すると注文が完了する（図９）。
【００８７】
この注文に基づいて、商品である選択されたＩＴ陶磁器２が購入者である贈り主に発送され、これを受けとった購入者が贈り先である受取人にＩＴ陶磁器２を渡す。受取人は、受けとったＩＴ陶磁器２に焼き付けられた二次元コードＱを読み取って、ホームページにアクセスし、贈り主からのメッセージを確認することができる。
【００８８】
この二次元コードＱによるホームページへのアクセスができない場合には、図１０に示した所定の方法でもメッセージの確認ができる。
【００８９】
一方、注文者のＩＤ（識別コード）、パスワードなどの個人データは、サーバに保存され、管理者にメールされ、購入者（注文者）に確認メールされる。
【００９０】
管理者は、注文の確認をして商品の発送を行うが、この際、購入者にその旨のメール送信をし、また、ＩＤ、パスワードが印刷された用紙を商品に添付する。
【００９１】
こうして、ＩＴ陶磁器２を用いて、贈り主と送り先との間で、単なる品物のやり取りだけでなく、その品物に託されたメッセージのやり取りもすることができる。
【産業上の利用可能性】
【００９２】
本発明のＩＴ物品、その製法は、二次元コードの誤り訂正機能を活用した用途が期待されるあらゆる産業分野に用いることができる。
【図面の簡単な説明】
【００９３】
【図１】本発明のＩＴ物品を例示するもので、（ａ）はその一例の分離状態の図、（ｂ）は（ａ）を組み合わせた状態の図、（ｃ）は他例の分離状態の図、（ｄ）は（ｃ）を組み合わせた状態の図
【図２】（ａ）は本発明のＩＴ物品の他例の分離状態の図、（ｂ）は（ａ）を組み合わせた状態の図
【図３】（ａ）は本発明のＩＴ物品の他例の分離状態の図、（ｂ）は（ａ）を組み合わせた状態の図
【図４】（ａ）、（ｂ）、（ｃ）、（ｄ）、（ｅ）、（ｆ）は本発明のＩＴ物品の他例の使用態様を示す図
【図５】本発明のＩＴ物品を例示するもので、（ａ）はその他例の分離状態の図、（ｂ）は（ａ）を組み合わせた状態の図、（ｃ）は他例の分離状態の図、（ｄ）は（ｃ）を組み合わせた状態の図、（ｅ）は（ｄ）のＡ矢視図
【図６】（ａ）、（ｂ）、（ｃ）、（ｄ）は、陶磁器として構成された本発明のＩＴ物品を例示する図
【図７】（ａ）、（ｂ）は、陶磁器として構成された本発明のＩＴ物品の製造に用いられる転写紙を例示する図
【図８】図６のＩＴ物品の使用態様の説明図
【図９】図６のＩＴ物品の使用態様の説明図
【図１０】図６のＩＴ物品の使用態様の説明図
【符号の説明】
【００９４】
Ｑ      ２次元コード
１      ＩＴ物品
１ａ    分割された部分
２      ＩＴ陶磁品（ＩＴ物品）
３      ＩＴタイル（ＩＴ物品）
【図１】
2006252010.tif 000003
【図２】
2006252010.tif 000004
【図３】
2006252010.tif 000005
【図４】
2006252010.tif 000006
【図５】
2006252010.tif 000007
【図６】
2006252010.tif 000008
【図７】
2006252010.tif 000009
【図８】
2006252010.tif 000010
【図９】
2006252010.tif 000011
【図１０】
2006252010.tif 000012
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
二次元コードがその表面に付された物品であって、その二次元コードを付した表面を含んで分割されたものであることを特徴とするＩＴ物品。
【請求項２】
前記分割された部分が、それに付された二次元コードの部分面積を合計しても、該二次元コードの誤り訂正率を越えないものを少なくとも１つ含んでいることを特徴とする請求項１記載のＩＴ物品。
【請求項３】
前記二次元コードが、それが付されるＩＴ物品の表面形状に対応させて、該二次元コードを一方向から見た場合に正常に読み取り可能となるように構成されたことを特徴とする請求項１または２記載のＩＴ物品。
【請求項４】
前記ＩＴ物品が、陶磁品であって、前記二次元コードが前記陶磁品の表面に焼き付けられたものであることを特徴とする請求項１〜３のいずれか記載のＩＴ物品。
【請求項５】
前記ＩＴ物品がタイルであることを特徴とする請求項４記載のＩＴ物品。
【請求項６】
請求項４または５記載のＩＴ物品の製法であって、
すでに製品となった陶磁品の表面に、該陶磁品の製造時の焼成温度より低い温度で、前記二次元コードが焼き付られることを特徴とするＩＴ物品の製法。
【請求項７】
請求項６の製法で製造されたことを特徴とするＩＴ物品。
【手続補正２】
【補正対象書類名】明細書
【補正対象項目名】全文
【補正方法】変更
【補正の内容】
【発明の詳細な説明】
【技術分野】
【０００１】
本発明は、バーコードと称される一次元コードに比べはるかに情報量の多い二次元コードがその表面に付されたＩＴ物品に関する。
【背景技術】
【０００２】
ＱＲコード（登録商標（第４０７５０６６号））に代表される二次元コードは、多方面に利用され、物品（二次元コードをその表面に付すことが可能な形態を有するものをいう。）の表面に二次元コードが付されたものは多数存在するが、その二次元コードを付した部分を含んで、分割されたような物品は出願人の知見では存在しない。
【０００３】
例えば、特許文献１には、セラミックナイフの把持部分に二次元コードをレーザーマーキングしたものが開示されているが、このナイフは、この二次元コードの部分で分割されるものではない。
【０００４】
一方、二次元コードは、そのコード表面に多少の付着物などがあって、一定面積のコード部分が読み取れない場合であっても、全体としてコード読み取りが可能であるという誤り訂正機能を備えているが、このことは、二次元コードの部分で、その物品を分割して、読み取り時に組み合わせて読み込む場合に、分割部分での多少のずれ、隙間等があっても、全体としてコード読み取りが可能であるということを示している。
【０００５】
また、分割した部分の全部が揃わなくとも、欠けた部分の面積％が、二次元コードの誤り訂正率（全体としてコード読み取り可能となる、読み取れない部分のコード全体に対する面積の百分率）を超えない場合には、全体としてのコード読み取りが可能であるということも考えられる。
【０００６】
つまり、二次元コードを付した物品（このような物品を、二次元コードによる情報提供機能を持った物品として、「ＩＴ物品」という。）を分割されたものとすることで、この二次元コードの誤り訂正機能を活用したさまざまな用い方が可能であるが、そのような提案はこれまでなされていなかった。
【特許文献１】特開２００４−６６２９９号公報（図８）
【発明の開示】
【発明が解決しようとする課題】
【０００７】
本発明は、このような状況に鑑みて提案されるもので、二次元コードの誤り訂正機能を活用可能とするＩＴ物品、その製法を提供することを目的としている。
【課題を解決するための手段】
【０００８】
請求項１記載のＩＴ物品は、二次元コードがその表面に付された物品であって、その二次元コードを付した表面を含んで分割されたものであることを特徴とする。
【０００９】
なお、ＩＴ物品には、以下に説明するＩＴ陶磁器、ＩＴタイルに加え、ガラス製のもの、プラスチック製のもの、紙製のもの、木製のもの、金属性のもの、その他複合材料製のものも含め、その表面に外部から読み取り可能に二次元コードが付されたものであればどのようなものでも含まれる。
【００１０】
請求項２記載のＩＴ物品は、請求項１に従属し、前記分割された部分が、それに付された二次元コードの部分面積を合計しても、該二次元コードの誤り訂正率を越えないものを少なくとも１つ含んでいることを特徴とする。
【００１１】
請求項３記載のＩＴ物品は、請求項１または２に従属し、前記二次元コードが、それが付されるＩＴ物品の表面形状に対応させて、該二次元コードを一方向から見た場合に正常に読み取り可能となるように構成されたことを特徴とする。
【００１２】
請求項４記載のＩＴ物品は、請求項１〜３のいずれかに従属し、前記ＩＴ物品が、陶磁品であって、前記二次元コードが前記陶磁品の表面に焼き付けられたものであることを特徴とする。
【００１３】
請求項５記載のＩＴ物品は、請求項４に従属し、前記ＩＴ物品がタイルであることを特徴とする。
【００１４】
請求項６記載のＩＴ物品の製法は、請求項４または５記載のＩＴ物品の製法であって、すでに製品となった陶磁品の表面に、該陶磁品の製造時の焼成温度より低い温度で、前記二次元コードが焼き付られることを特徴とする。
【００１５】
請求項７記載のＩＴ物品は、請求項６の製法で製造されたことを特徴とする。
【発明の効果】
【００１６】
請求項１記載のＩＴ物品は、二次元コードがその表面に付された物品であって、その二次元コードを付した表面を含んで分割されたものであるので、二次元コードの誤り訂正機能により、分割後の組み合わせによって生じる多少の誤差があっても読み取ることができ、かかる機能を用いてさまざまな用途に用いることができる。
【００１７】
請求項２記載のＩＴ物品は、請求項１の効果に加え、前記分割された部分が、それに付された二次元コードの部分面積を合計しても、該二次元コードの誤り訂正率を越えないものを少なくとも１つ含んでいるので、係る部分が欠落しても全体として、二次元コードの読み取りが可能となり、かかる機能を用いてさまざまな用途に用いることができる
請求項３記載のＩＴ物品は、請求項１または２の効果に加え、前記二次元コードが、それが付されるＩＴ物品の表面形状に対応させて、該二次元コードを一方向から見た場合に正常に読み取り可能となるように構成されているので、二次元コードを付する表面が平面でなくとも、コードが読み取り可能となる。
【００１８】
請求項４記載のＩＴ物品は、請求項１〜３のいずれかの効果に加え、前記ＩＴ物品が、陶磁品であって、前記二次元コードが前記陶磁品の表面に焼き付けられたものであるので、陶磁器としての耐久性等の効果を発揮する。
【００１９】
請求項５記載のＩＴ物品は、請求項４の効果に加え、前記ＩＴ物品がタイルであるので、タイルとしての効果を発揮する。
【００２０】
請求項６記載のＩＴ物品の製法は、請求項４または５記載のＩＴ物品の効果に加え、すでに製品となった陶磁品の表面に、該陶磁品の製造時の焼成温度より低い温度で、前記二次元コードが焼き付られるので、個々人の所有するＩＴ物品にも、二次元コードを後付け付加でき、その情報発信機能を利用することができる。
【００２１】
請求項７記載のＩＴ物品は、請求項６の製法で製造されたので、この製法の効果を、ＩＴ物品として発揮する。
【発明を実施するための最良の形態】
【００２２】
以下に、本発明の実施の形態（実施例）について、図面を用いて説明する。
【実施例１】
【００２３】
図１は、本発明のＩＴ物品を例示するもので、（ａ）はその一例の分離状態の図、（ｂ）は（ａ）を組み合わせた状態の図、（ｃ）は他例の分離状態の図、（ｄ）は（ｃ）を組み合わせた状態の図、図２（ａ）は本発明のＩＴ物品の他例の分離状態の図、（ｂ）は（ａ）を組み合わせた状態の図である。
【００２４】
これらの図１、２に示すＩＴ物品１、１Ａ、１Ｂは、平面的な物品の一表面に二次元コードＱを付し、その二次元コードＱを付した表面を含んで二分割されたものである点で共通し、この点を特徴としている。
【００２５】
図１（ａ）、（ｂ）のＩＴ物品１は、荷札様の形状であり、二次元コードＱを含んで部分１ａ、１ｂに分割されている。
【００２６】
このＩＴ物品１は、そのその提げ紐孔１ａｃに提げ紐（不図示）を通して部分１ａを照合が必要な物に付けておき、他方の部分１ｂを持っている人が、両者を組み合わせて、二次元コードＱが読み取り可能な場合にのみ、その部分１ａを付した物を受けとることができる、といった用い方をすることができる。
【００２７】
この際、二次元コードＱの誤り訂正機能により、この組み合わせによって生じる多少の誤差があっても読み取ることができる。また、機械で読み取りができるという事実だけによって、両者の符合を判定することができ、それぞれのコード内容の確認までもする必要がなく、迅速な処理をすることができる。
【００２８】
また、部分１ａ、１ｂが揃わないと読み取ることができないので、正規の部分１ｂの所有者以外が、その分割された二次元コードＱを読み取ることによって、その物に関する情報を得ることもできず、その点では、秘密性が高いということができる。
【００２９】
このようなＩＴ物品１は、上記特性に合わせて種々の用い方が可能であり、例えば、旅行者の別送荷物の照合などに用いることができる。
【００３０】
図１（ｃ）、（ｄ）のＩＴ物品１Ａは、正方形の平板状のものであって、その平板表面の大部分に二次元コードＱが付され、この二次元コードＱを含んだ台形状の部分１ｄと、この部分１ｄを取り囲む部分１ｃとに分割されている。
【００３１】
このＩＴ物品１Ａは、独立して用いられ、双方の部分１ｃ、１ｄを図１（ｄ）に示すように組み合わせると、二次元コードＱが読み取り可能となる。この際、部分１ｄは、部分１ｃの中に填まり込むので、両者の組み合わせが容易で、また、組み合わせた場合の両者のずれが生じにくく、二次元コードＱの読み取り精度が向上する。
【００３２】
このようなＩＴ物品１Ａは、例えば、部分１ｃ、１ｄを別々の人あるいはグループなどが所有し、両者の照合をするのに用いることができる。
【００３３】
図２（ａ）、（ｂ）のＩＴ物品１Ｂは、図１（ｃ）、（ｄ）のＩＴ物品１Ａと同様に、正方形の平板状であるが、このＩＴ物品１Ａと異なり、分割の態様がよりファッション性を考慮したものとなっている。つまり、この例では、二次元コードＱを含んだハート型の部分１ｆと、その周囲の部分１ｅとで構成されている。
【００３４】
このＩＴ物品１Ｂにおいても、部分１ｆは、部分１ｅの中に填まり込むので、両者の組み合わせが容易で、また、組み合わせた場合の両者のずれが生じにくく、二次元コードＱの読み取り精度が向上する。
【００３５】
このようなＩＴ物品１Ｂは、ＩＴ物品１Ａと同様、それぞれの部分の所有者の照合などに用いることができるが、そのファッション性から、例えば、恋人同士のきずなを確かめるグッズとして利用される可能性がある。
【実施例２】
【００３６】
図３（ａ）は本発明のＩＴ物品の他例の分離状態の図、（ｂ）は（ａ）を組み合わせた状態の図である。これより既に説明した部分には同じ符号を付して重複説明を省略する。
【００３７】
このＩＴ物品１Ｃは、これまでのＩＴ物品１、１Ａ、１Ｂに比べ、立体的な物品に二次元コードＱが付されている点で異なっている。
【００３８】
より具体的には、このＩＴ物品１Ｃは、それぞれの部分１ｇ、１ｈが、升形状をしており、両者１ｇ、１ｈの隙間無く組み合わせることのできる部位に二次元コードＱが分割して付され、双方を組み合わせると、この二次元コードＱが読み取れるようになっている。
【００３９】
このようなＩＴ物品１Ｃも、二次元コードＱがその表面に付された物品であって、その二次元コードＱを付した表面を含んで分割されたものに含まれるものである。
【００４０】
このＩＴ物品１Ｃの用い方も、上述の特性を生かして、様々なものが考えられるが、例えば、夫婦の契りの記念品として、利用される可能性がある。
【実施例３】
【００４１】
図４（ａ）、（ｂ）、（ｃ）、（ｄ）、（ｅ）、（ｆ）は本発明のＩＴ物品の他例の使用態様を示す図である。
【００４２】
このＩＴ物品１Ｄは、図１（ｃ）、（ｄ）のＩＴ物品１Ａなどと同様に、正方形の平板状であるが、その二次元コードＱを付した表面を含んだ分割が、三分割以上の多分割となっている点が異なっている。
【００４３】
このＩＴ物品１Ｄでは、図４（ｂ）に示すように、７つの部分１ｉ、１ｊ、１ｋ、１ｍ、１ｎ、１ｏ、１ｐに分割されている。なお、図４（ａ）は、この分割がなかった場合のＩＴ物品１Ｄを仮想的に示すものである。
【００４４】
このＩＴ物品１Ｄは、各部分を組み合わせると図４（ｃ）となり、これは図４（ａ）とほぼ同じであり、また、上述した二次元コードＱの誤り訂正機能から、多少の隙間、ずれがあっても、全体として、コードの読み取りが可能となる。
【００４５】
図４（ｄ）は、ＩＴ物品１Ｄを組み合わせたが、部分１ｎだけが欠けている状態を示している。しかしながら、この欠けた部分１ｎの面積が、二次元コードＱの誤り訂正率を超えない場合には、全体として、二次元コードＱの読み取りが可能である。
【００４６】
図４（ｅ）は、ＩＴ物品１Ｄを組み合わせたが、部分１ｎ、１ｏが欠けている状態を示している。しかしながら、この欠けた部分１ｎ、１ｏの合計面積が、二次元コードＱの誤り訂正率を超えない場合には、全体として、二次元コードＱの読み取りが可能である。
【００４７】
図４（ｆ）は、ＩＴ物品１Ｄを組み合わせたが、部分１ｎ、１ｏに加え、されに、部分１ｐが欠けている状態を示している。この場合は、欠けた部分１ｎ、１ｏ、１ｐの合計面積が、二次元コードＱの誤り訂正率を越えることとなり、全体として、二次元コードＱの読み取りが不可能となる。
【００４８】
このように、二次元コードＱを付して分割したＩＴ物品は、その誤り訂正率を利用して、上述しなような用い方ができる。例えば、このＩＴ物品１Ｄを、多数の人、グループ間の割符として用いた場合、全員が揃わなくとも、二次元コードＱに隠されたコードの読み出しが可能となり、それを利用した用い方が期待される。
【実施例４】
【００４９】
図５は、本発明のＩＴ物品を例示するもので、（ａ）はその他例の分離状態の図、（ｂ）は（ａ）を組み合わせた状態の図、（ｃ）は他例の分離状態の図、（ｄ）は（ｃ）を組み合わせた状態の図、（ｅ）は（ｄ）のＡ矢視図である。
【００５０】
図５（ａ）、（ｂ）のＩＴ物品１Ｅは、湯呑み様の部分１ｑ、１ｒの円周外表面に二次元コードＱ１を分割して付したもので、図５（ｂ）に示すように、両者をこの二次元コードＱ１が一体化されるように組み合わせて、一定の方向から見ると、平面上に付された二次元コードＱのように見えるように、それぞれの部分１ｑ、１ｒに分割されて付された二次元コードＱ１が構成されているものである。
【００５１】
つまり、この二次元コードＱ１は、それが付されるＩＴ物品１Ｅ（１ｑ、１ｒ）の表面形状に対応させて、該二次元コードＱ１を一方向から見た場合に正常に読み取り可能な二次元コードＱとなるように構成されている。
【００５２】
このようにすると、平面上に二次元コードを付すことができない場合であっても、二次元コードを利用することができる。
【００５３】
図５（ｃ）、（ｄ）のＩＴ物品１Ｆは、平板状の部分１ｓと、その中央部分の凹所に嵌まり込むドーム状の部分１ｔより構成され、それぞれの部分に二次元コードＱ２が分割して付され、両者を組み合わせた状態で、所定の方向Ａから見ると、全体として、正常に読み取り可能な二次元コードＱとなるように構成されている。
【００５４】
このＩＴ物品１Ｆも、それに付された二次元コードＱ２が、付される部分１ｓ、１ｔの表面形状に対応させて、該二次元コードＱ２を一方向から見た場合に正常に読み取り可能な二次元コードＱとなるように構成されている例であり、図５（ａ）、（ｂ）のＩＴ物品１Ｅと同様の効果を発揮すると共に、部分１ｓ、１ｔが嵌まり合うため、組み合わされた二次元コードＱ２のずれが少なく、読み取り精度が向上する。
【実施例５】
【００５５】
図６（ａ）、（ｂ）、（ｃ）、（ｄ）は、陶磁器として構成された本発明のＩＴ物品を例示する図、図７（ａ）、（ｂ）は、陶磁器として構成された本発明のＩＴ物品の製造に用いられる転写紙を例示する図、図８、９、１０は、図６のＩＴ物品の使用態様の説明図である。
【００５６】
図６（ａ）、（ｂ）、（ｃ）、（ｄ）のＩＴ物品２、２Ａ、３、３Ａは、二次元コードＱが陶磁器の表面に焼き付けされたＩＴ陶磁器２、２Ａ、３、３Ａとして構成された点を共通の特徴とする。
【００５７】
これらのＩＴ陶磁器２、２Ａ、３、３Ａは、ここでは、その二次元コードＱが付された表面を含んで分割されていないものであるが、図１から図５までに説明したように、分割することも可能である。
【００５８】
一方、図１から図５までに説明したようなＩＴ物品１、１Ａ、１Ｂ、１Ｃ、１Ｄ、１Ｅ、１Ｆを陶磁器として構成することも可能である。
【００５９】
図６（ａ）のＩＴ陶磁器（物品）２は、マグカップ様の陶磁器の円周側部分の外周表面に二次元コードＱが付されているものである。この二次元コードＱは、ＩＴ陶磁器２の円周側部分の径が、二次元コードＱの大きさに比べ大きい場合は、平面用の二次元コードＱを用いることができるが、そうでない場合には、図５で説明したように、それが付される表面形状に対応させた二次元コードＱ３とするのがよい。
【００６０】
図６（ｂ）のＩＴ陶磁器（物品）２Ａは、図６（ａ）のＩＴ陶磁器２と同様のマグカップ様であるが、二次元コードＱは、その裏底面に焼き付けられている。このようにすると、ＩＴ陶磁器２Ａの目立つ円周外周部分を全面的に装飾に用いることができる。
【００６１】
これらのＩＴ陶磁器２、２Ａは、それに付された二次元コードＱを読み取ることによって、それぞれの陶磁器２、２Ａに関する情報を得ることができるものである。
【００６２】
図６（ｃ）のＩＴ陶磁器（物品）３は、タイル様の表面側に二次元コードＱが焼き付けられているが、その二次元コードＱが該表面に占める面積は、残りの面積より小さなものとなっている。これに比べ、図６（ｄ）のＩＴ陶磁器（物品）３Ａでは、同様にタイル様であるが、二次元コードＱがその表面のほとんどを占めているものである。
【００６３】
このタイル形状のＩＴ陶磁器３、３Ａをその形状から、ＩＴタイル（物品）３、３Ａとも呼ぶ。
【００６４】
ＩＴタイル３は、建物の外装や内装などに用いられる一般のタイルと同じ大きさで、多数用いられるタイルの内、必要な部分だけをこのＩＴタイル３とし、このＩＴタイル３に付された二次元コードＱを読み取ることで、そのＩＴタイル３が付された建物などに関する情報を得ることができるものである。
【００６５】
ＩＴタイル３Ａも、ＩＴタイル３と同様な使用をすることもできるが、この場合は、主として、それに付された二次元コードＱから情報を得ることを主目的として用いられるものであり、その耐候性、永年不変化性を活用して、土地の区画や位置表示指標、山中などの道案内指標、草木の個別標識などとして有効利用できる。
【００６６】
これらのＩＴ陶磁器２、２Ａ、３、３Ａは、その共通した効果として、二次元コードＱそのもの情報発信の効果に加え、その陶磁器としての効果、つまり、焼き付けられた二次元コードＱの耐水性、耐薬品性、耐紫外線、耐摩耗性、耐久性、耐高温性が優れ、二次元コードＱを焼き付けた部分が、折れ曲がらない、汚れてもすぐきれいにすることができる、紙のように簡単に破れることがない、偽造することができないといった効果を発揮する。
【００６７】
また、分割態様とした場合には、図１から５までに説明したような効果を発揮することができる。一方、図１から５までのＩＴ物品１、１Ａ、１Ｂ、１Ｃ、１Ｄ、１Ｅ、１Ｆを陶磁器として構成した場合には、これらの分割に起因する効果に加えて、これらを陶磁器とした上述の効果を発揮する。
【００６８】
これより、図６を用いて、ＩＴ陶磁器２、２Ａ、３、３Ａに共通する製法の概要を、ＩＴタイル３Ａを例として説明する。
【００６９】
＜ＩＴタイル３Ａの製法＞
１．ＩＴタイル３Ａによって発信されるべき図形、メッセージ、文字、写真などの情報を二次元コードに変換する。
【００７０】
二次元コードの種類としては、ＱＲコード（ＩＳＯ／ＩＥＣ１８００４（登録商標（第４０７５０６６号）））、マイクロＱＲコード、ＰＤＦ４１７方式のコード、ＤａｔａＭａｔｒｉｘ方式のコード、ＭａｘｉＣｏｄｅなどがある。
【００７１】
ＱＲコード、ＤａｔａＭａｔｒｉｘ方式のコード、ＭａｘｉＣｏｄｅは、それぞれマトリックスコードの一種である。ＰＤＦ４１７は、スタックドバーコードの一種である。
【００７２】
バーコードが、ごく少ない桁数の数字データのコード化しかできないのに対して、これらの二次元コードは、数字データで言えば数百から数千の桁数のデータをコード化することができる。特に、ＱＲコード、ＰＤＦ４１７方式のコードは、数千の桁数の数字データをコード化することができる。
【００７３】
また、ＱＲコード、マイクロＱＲコード、ＤａｔａＭａｔｒｉｘ方式のコードは、コード化した部分のサイズが小さく、省スペースであるとの特徴がある。
【００７４】
ＱＲコード、マイクロＱＲコード、ＰＤＦ４１７方式のコード、ＤａｔａＭａｔｒｉｘ方式のコードは、四角形のみを組み合わせることで形成することができる図である。これに対して、ＭａｘｉＣｏｄｅは、円を使用している。
【００７５】
２．得られた二次元コードＱを転写紙に写す。この転写紙の例が図６に示すものであり、通常一般的に、陶磁器の表面に所望の模様、図形を焼き付けるのに用いられるものである。
【００７６】
３．ＩＴタイル３Ａとなる素材の表面に、図６の転写紙から一つの二次元コードＱ部分を切り離して、貼り付ける。
【００７７】
４．二次元コードＱを貼り付けた素材を８００℃〜１０００℃程度で焼成するとＩＴタイル３Ａが得られる。
【００７８】
なお、二次元コードＱの焼き付けは、こうした製品化の過程以外に、既に製品となって、消費者の手元にある陶磁器について、事後的に焼き付けすることも可能である。
【００７９】
その場合には、元々の陶磁器にすでに焼き付けられた模様、色彩などに影響を与えないように、より低い温度、具体的には、６００℃程度で焼成するのがよい。
【００８０】
この方法によれば、自分のお気に入りで手元にある陶磁器に、情報発信元である二次元コードＱを焼き付けて、保存しておいたり、特定の人に贈ったりすることができる。
【００８１】
ついで、こうして得られたＩＴ陶磁器２、２Ａ、３、３Ａの情報発信元としての用い方を、図８〜図１０を用いて説明する。
【００８２】
図８は、例えば、ＩＴ陶磁器２Ａの二次元コードＱを、二次元コード読み出し機能付きの携帯電話で読み込んだ状態を示しており、その画面には、ある企業の名称、郵便番号、住所、電話番号が示されている。
【００８３】
このようなデータは、例えば、ＩＴ陶磁器２Ａの製造や販売の責任者や、このＩＴ陶磁器２Ａが販売促進に用いられる場合には、本来の商品の注文先を示すのに用いられる。
【００８４】
図９、１０は、例えば、カタログなどに印刷された二次元コードＱを二次元コード読み出し機能付きの形態電話で読み込んだ場合の手順を示している。
【００８５】
まず、二次元コードＱを読み込むと、所定の注文ページにアクセスし、ホームページが表示され、ここで、ＩＴ陶磁器２を贈る相手に対する贈り主からのメッセージを入力することができる。
【００８６】
ついで、商品であるＩＴ陶磁器２を選択し、更に、贈り主などの個人情報を入力し、送信すると注文が完了する（図９）。
【００８７】
この注文に基づいて、商品である選択されたＩＴ陶磁器２が購入者である贈り主に発送され、これを受けとった購入者が贈り先である受取人にＩＴ陶磁器２を渡す。受取人は、受けとったＩＴ陶磁器２に焼き付けられた二次元コードＱを読み取って、ホームページにアクセスし、贈り主からのメッセージを確認することができる。
【００８８】
この二次元コードＱによるホームページへのアクセスができない場合には、図１０に示した所定の方法でもメッセージの確認ができる。
【００８９】
一方、注文者のＩＤ（識別コード）、パスワードなどの個人データは、サーバに保存され、管理者にメールされ、購入者（注文者）に確認メールされる。
【００９０】
管理者は、注文の確認をして商品の発送を行うが、この際、購入者にその旨のメール送信をし、また、ＩＤ、パスワードが印刷された用紙を商品に添付する。
【００９１】
こうして、ＩＴ陶磁器２を用いて、贈り主と送り先との間で、単なる品物のやり取りだけでなく、その品物に託されたメッセージのやり取りもすることができる。
【産業上の利用可能性】
【００９２】
本発明のＩＴ物品、その製法は、二次元コードの誤り訂正機能を活用した用途が期待されるあらゆる産業分野に用いることができる。
【図面の簡単な説明】
【００９３】
【図１】本発明のＩＴ物品を例示するもので、（ａ）はその一例の分離状態の図、（    ｂ）は（ａ）を組み合わせた状態の図、（ｃ）は他例の分離状態の図、（ｄ）は（ｃ    ）を組み合わせた状態の図
【図２】（ａ）は本発明のＩＴ物品の他例の分離状態の図、（ｂ）は（ａ）を組み合    わせた状態の図
【図３】（ａ）は本発明のＩＴ物品の他例の分離状態の図、（ｂ）は（ａ）を組み合    わせた状態の図
【図４】（ａ）、（ｂ）、（ｃ）、（ｄ）、（ｅ）、（ｆ）は本発明のＩＴ物品の他    例の使用態様を示す図
【図５】本発明のＩＴ物品を例示するもので、（ａ）はその他例の分離状態の図、（    ｂ）は（ａ）を組み合わせた状態の図、（ｃ）は他例の分離状態の図、（ｄ）は（ｃ    ）を組み合わせた状態の図、（ｅ）は（ｄ）のＡ矢視図
【図６】（ａ）、（ｂ）、（ｃ）、（ｄ）は、陶磁器として構成された本発明のＩＴ    物品を例示する図
【図７】（ａ）、（ｂ）は、陶磁器として構成された本発明のＩＴ物品の製造に用い    られる転写紙を例示する図
【図８】図６のＩＴ物品の使用態様の説明図
【図９】図６のＩＴ物品の使用態様の説明図
【図１０】図６のＩＴ物品の使用態様の説明図
【符号の説明】
【００９４】
Ｑ      二次元コード
１      ＩＴ物品
１ａ    分割された部分
２      ＩＴ陶磁品（ＩＴ物品）
３      ＩＴタイル（ＩＴ物品）